(57)【特許請求の範囲】
【請求項１】
左右一対の第１換気部材と、第２換気部材を備え、
野地に形成した棟換気口に被せるように第２換気部材を野地に立設し
棟の野地に立設した垂木支持金具で、横断通気通路を形成した垂木を支持し、
垂木で冠瓦を支持し、
冠瓦と、垂木の両側に葺設した棟の最上段の平板瓦との間に第１換気部材を配設し、
冠瓦と野地の間に漆喰、葺土、モルタル等の充填材を充填して充填層を形成し、
第１換気部材と第２換気部材及び棟換気口を通して小屋裏と屋外を連通する主通気通路を形成し、
第１換気部材と横断通気通路によって冠瓦の裏側に垂木を跨いで棟の一側から他側へ通じる第１副通気通路を形成する棟用換気部材であって、
前記第１換気部材が扁平な略箱型の本体を有し、
本体の一端面と上面にそれぞれ第１通気口と第２通気口を形成し、
本体の一端上面に垂木に固定される連結片を設け、
本体の他端部の上面に冠瓦の裏面を支持する支持部を設けるとともに、該支持部に第３通気口を形成し、
本体の他端部に止水面を形成し、
本体の他端部の底面に水切り穴を形成し、
水切り穴の一端側端部に邪魔板を立設し、
前記第１副通気通路を第３通気口から順に一方の第１換気部材の第２通気口と内部空間と第１通気口、横断通気通路、他方の第１換気部材の第１通気口と内部空間と第２通気口及び第３通気口を通って空気が流れる空気通路で構成し、
本体の内部に侵入した雨水が水切り穴から本体の外部へ排出され、
水切り穴から雨水が本体内部に侵入するのを邪魔板で阻止するようにしたことを特徴とする棟用換気部材。
【請求項２】
左右一対の第１換気部材と、第２換気部材を備え、
野地に形成した棟換気口に被せるように第２換気部材を野地に立設し
棟の野地に立設した垂木支持金具で、横断通気通路を形成した垂木を支持し、
垂木で冠瓦を支持し、
冠瓦と、垂木の両側に葺設した棟の最上段の平板瓦との間に第１換気部材を配設し、
冠瓦と野地の間に漆喰、葺土、モルタル等の充填材を充填して充填層を形成し、
第１換気部材と第２換気部材及び棟換気口を通して小屋裏と屋外を連通する主通気通路を形成し、
第１換気部材と横断通気通路によって冠瓦の裏側に垂木を跨いで棟の一側から他側へ通じる第１副通気通路を形成する棟用換気部材であって、
前記第２換気部材が、下端面が開口し、両側面に第４通気口を形成し、第４通気口の下端部に外側へ突出する水返しを形成した断面形状門形の本体と、
第５通気口が形成され、本体の上面に被せた通気カバーと、
下部に第６通気口が形成され、本体の両側面に並設される堰板を備え、
前記主通気通路を棟換気口から順に、本体の下端面開口、本体の内部空間、第４通気口、第５通気口、第１通気口、第１換気部材の内部空間、第２通気口及び第３通気口を通って空気が流れる空気通路で構成し、
雨水が第２換気部材の本体内部に侵入するのを水返しで阻止し、
堰板と前記最上段の平板瓦の尻縁部で充填材が充填される空間を区画形成し、
前記平板瓦と野地の間の野地上空間と屋外を連通する第２副通気通路を野地上空間から順に、堰板の第６通気口、堰板と第２換気部材の本体の側面で区画された空間、第５通気口、第１通気口、第１換気部材の内部空間、第２通気口及び第３通気口を通って空気が流れる空気通路で構成したことを特徴とする棟用換気部材。
【発明の詳細な説明】
【技術分野】
【０００１】
本発明は棟用換気部材に関する。
【背景技術】
【０００２】
棟の換気構造の一形式として、特開平１０−３１７５８９号には棟の屋根地に立設した垂木支持金具で垂木を支持し、垂木で冠瓦を支持し、冠瓦と棟の屋根地の間に葺土、モルタル等の充填材を充填して充填層を形成した棟における換気構造が開示されている。
【０００３】
この棟の換気構造では、冠瓦と棟の最上段の平板瓦との間に扁平な第１換気部材を配設し、棟の屋根地に形成した棟換気口に被せるように第２換気部材を屋根地に立設し、第１換気部材と第２換気部材及び棟換気口を通して小屋裏と屋外を連通する通気通路を形成している。
【先行技術文献】
【特許文献】
【０００４】
【特許文献１】特開平１０−３１７５８９号
【発明の概要】
【発明が解決しようとする課題】
【０００５】
上記した従来の棟の換気構造によれば小屋裏の換気が可能となるものの、必ずしも小屋裏の換気に必要な空気の流量を確保できるとは限らない。
また、近時、小屋裏の換気だけでなく、野地の腐食を防止するため平板瓦が葺設されている野地上の換気も望まれている。
【０００６】
本発明はかかる点に鑑み、小屋裏の十分な換気を可能にする棟用換気部材を提供することを目的とする。
また、本発明は平板瓦が葺設されている野地上の換気を可能にする棟用換気部材を提供することを目的とする。
【課題を解決するための手段】
【０００７】
請求項１に記載の発明は、左右一対の第１換気部材と、第２換気部材を備え、
野地に形成した棟換気口に被せるように第２換気部材を野地に立設し
棟の野地に立設した垂木支持金具で、横断通気通路を形成した垂木を支持し、
垂木で冠瓦を支持し、
冠瓦と、垂木の両側に葺設した棟の最上段の平板瓦との間に第１換気部材を配設し、
冠瓦と野地の間に漆喰、葺土、モルタル等の充填材を充填して充填層を形成し、
第１換気部材と第２換気部材及び棟換気口を通して小屋裏と屋外を連通する主通気通路を形成し、
第１換気部材と横断通気通路によって冠瓦の裏側に垂木を跨いで棟の一側から他側へ通じる第１副通気通路を形成する棟用換気部材であって、
前記第１換気部材が扁平な略箱型の本体を有し、
本体の一端面と上面にそれぞれ第１通気口と第２通気口を形成し、
本体の一端上面に垂木に固定される連結片を設け、
本体の他端部の上面に冠瓦の裏面を支持する支持部を設けるとともに、該支持部に第３通気口を形成し、
本体の他端部に止水面を形成し、
本体の他端部の底面に水切り穴を形成し、
水切り穴の一端側端部に邪魔板を立設し、
前記第１副通気通路を第３通気口から順に一方の第１換気部材の第２通気口と内部空間と第１通気口、横断通気通路、他方の第１換気部材の第１通気口と内部空間と第２通気口及び第３通気口を通って空気が流れる空気通路で構成し、
本体の内部に侵入した雨水が水切り穴から本体の外部へ排出され、
水切り穴から雨水が本体内部に侵入するのを邪魔板で阻止するようにしたことを特徴とする。
【０００８】
請求項２に記載の発明は、左右一対の第１換気部材と、第２換気部材を備え、
野地に形成した棟換気口に被せるように第２換気部材を野地に立設し
棟の野地に立設した垂木支持金具で、横断通気通路を形成した垂木を支持し、
垂木で冠瓦を支持し、
冠瓦と、垂木の両側に葺設した棟の最上段の平板瓦との間に第１換気部材を配設し、
冠瓦と野地の間に漆喰、葺土、モルタル等の充填材を充填して充填層を形成し、
第１換気部材と第２換気部材及び棟換気口を通して小屋裏と屋外を連通する主通気通路を形成し、
第１換気部材と横断通気通路によって冠瓦の裏側に垂木を跨いで棟の一側から他側へ通じる第１副通気通路を形成する棟用換気部材であって、
前記第２換気部材が、下端面が開口し、両側面に第４通気口を形成し、第４通気口の下端部に外側へ突出する水返しを形成した断面形状門形の本体と、
第５通気口が形成され、本体の上面に被せた通気カバーと、
下部に第６通気口が形成され、本体の両側面に並設される堰板を備え、
前記主通気通路を棟換気口から順に、本体の下端面開口、本体の内部空間、第４通気口、第５通気口、第１通気口、第１換気部材の内部空間、第２通気口及び第３通気口を通って空気が流れる空気通路で構成し、
雨水が第２換気部材の本体内部に侵入するのを水返しで阻止し、
堰板と前記最上段の平板瓦の尻縁部で充填材が充填される空間を区画形成し、
前記平板瓦と野地の間の野地上空間と屋外を連通する第２副通気通路を野地上空間から順に、堰板の第６通気口、堰板と第２換気部材の本体の側面で区画された空間、第５通気口、第１通気口、第１換気部材の内部空間、第２通気口及び第３通気口を通って空気が流れる空気通路で構成したことを特徴とする。
【発明の効果】
【０００９】
請求項１に記載の発明によれば、屋外で風が吹くと第１副通気通路を通って屋外の空気が棟の一側から他側へ流れるので、小屋裏の空気が第１副通気通路を流れる風に巻き込まれて屋外へ流出する。そのため、小屋裏を換気するに十分な空気の流量を確保できる。
【００１０】
第１換気部材の底面に水切り穴を形成したので、第１換気部材の内部に侵入した雨水を水抜き溝から平板瓦の上に排出できる。また、水切り穴の一端側端部に邪魔板を立設したので、水切り穴から第１換気部材の内部に雨水が大量に浸入するのを防止できる。
【００１１】
請求項２に記載の発明によれば、第２副通気通路によって平板瓦の裏側空間すなわち、野地上の換気が可能となる。一方、第２副通気通路を通る空気の流れで野地を伝って雨水が第４通気口から第２換気部材の本体内部に侵入するのを第４通気口の下端部に設けた水返しで阻止できる。
【図面の簡単な説明】
【００１２】
【図１】本発明の実施例に係る棟用換気部材を示す断面図である。
【図２】同棟用換気部材に使われる垂木支持金具を示す斜視図である。
【図３】同棟用換気部材に使われる垂木を示す斜視図である。
【図４】同棟用換気部材に使われる第１換気部材の表面側から見た斜視図である。
【図５】同第１換気部材の裏面側から見た斜視図である。
【図６】同第１換気部材の下側フレームを示す斜視図である。
【図７】図６の７−７線から切断した断面図である。
【図８】同棟用換気部材に使われる第２換気部材を示す分解斜視図である。
【図９】同第２換気部材の本体を示す斜視図である。
【図１０】同実施例に係る棟用換気部材の主通気通路と第１副通気通路及び第２副通気通路を示す説明図である。
【実施例】
【００１３】
以下に本発明を図面に基づき説明する。図１には本発明の実施例に係る棟用換気部材１０が示されている。当該棟用換気部材１０は垂木１１を支持する垂木支持金具１２と第１換気部材１３及び第２換気部材１４を備えている。
【００１４】
図２に示すように、垂木支持金具１２はコ字形の垂木受け部１２ａと、垂木受け部１２ａに垂設した脚部１２ｂと、脚部１２ｂから傾斜して延びる左右一対の足部１２ｃから成る。垂木支持金具１２は各足部１２ｃを棟の野地１５に釘で固定して、棟の頂部に立設されている。垂木１１は棟の頂部に沿って一定間隔で配列した垂木支持金具１２の垂木受け部１２ａに載置し、棟の長手方向に沿って架設されている。そして、垂木支持金具１２で支持した垂木１１に冠瓦１６が載置される。図３に示すように、この垂木１１の上面には複数本の溝状の横断通気通路１１ａが形成されている。複数本の横断通気通路１１ａは垂木１１の長手方向に沿って配列されている。この横断通気通路１１ａは垂木１１の下面に形成することもできる。
【００１５】
図４及び図５に示すように、第１換気部材１３は上側フレーム１３ａと下側フレーム１３ｂを合体して扁平な略箱型に形成した本体を備えている。上側フレーム１３ａの幅方向の一端は上方に折り曲げて立ち上がり片１３ｃが形成され、立ち上がり片１３ｃに連結片１３ｄが連続して形成されている。この連結片１３ｄは断面がくの字になるように形成されている。下側フレーム１３ｂの幅方向の一端は上方に折り曲げて立ち上がり片１３ｅが形成され、上側フレーム１３ａの立ち上がり片１３ｃと下側フレーム１３ｂの立ち上がり片１３ｅで第１通気口１３ｆが形成されている。
【００１６】
上側フレーム１３ａには複数の第２通気口１３ｇが形成されている。各第２通気口１３ｇは上側フレーム１３ａの長手方向に延びている。上側フレーム１３ａの他端部１３ｈは直角に折り曲げられ、後述する下側フレームの止水面１３ｗに重ねられている。上側フレーム１３ａの他端部の上面に板バネ製で複数の、くの字部を連続した形状を有する支持部材１３ｍが固定され、第１換気部材１３の長手方向に延びている。この支持部材１３ｍは、くの字の頂部が冠瓦１６の裏面に当接して冠瓦１６を支持するように形成されている。また、くの字の内側が第３通気口１３ｎとして形成され、これら第３通気口１３ｎが第１換気部材１３の長手方向に沿って配列されている。
【００１７】
図５に示すように、上側フレーム１３ａの立ち上がり片１３ｃの基端部には通気用縦フレーム１３ｒが固定されている。この通気用縦フレーム１３ｒは多数の通気穴１３ｓを有し、通気穴１３ｓは第１換気部材１３の長手方向に沿って配列され、各穴が第１通気口１３ｆに連通している。
【００１８】
図６及び図７に示すように、板状の下側フレーム１３ｂの他端部は断面コ字形に折り曲げて止水面１３ｗが形成され、止水面１３ｗの基端部に水切り穴１３ｙが形成されている。また、水切り穴１３ｙの一端側が上方へ折り曲げられて邪魔板１３ｚが立設されている。下側フレーム１３ｂの他端部の裏面にはシーラー１３ｕが貼着されている。
【００１９】
第１換気部材１３は連結片１３ｄの先端部を垂木１１の上面に当接し、釘で垂木１１に固定されている。このようにして、複数の第１換気部材１３は冠瓦１６の裏面に配置され、棟の長手方向に沿って配列されている。
【００２０】
図８に示すように、第２換気部材１４は下端面に開口１４ｓを有する断面形状が門形の本体１４ａ、通気カバー１４ｂ、フロントカバー１４ｃ、リヤカバー１４ｄ及び一対の堰板１４ｅを備えている。図９に示すように、本体１４ａの両側面には複数個所に第４通気口１４ｆが形成され、各通気口１４ｆの下端部には本体１４ａの外側に突出する水返し１４ｇが形成されている。本体１４ａの下端部には脚片１４ｈが一体に設けられ本体１４ａの両側に拡開している。通気カバー１４ｂには長手方向に沿って複数個所に第５通気口１４ｉが形成されている。通気カバー１４ｂの両端部には下方折り曲げ片１４ｊが形成されている。堰板１４ｅは上端部が外側へ折り曲げられ、下部に第６通気口１４ｋが形成されている。
【００２１】
第２換気部材１４は本体１４ａの上面に通気カバー１４ｂを被せて本体１４ａにリベット（図示せず）で固定し、固定した通気カバー１４ｂの前端部と後端部にそれぞれフロントカバー１４ｃとリヤカバー１４ｄを嵌合して組み立てられている。堰板１４ｅは後述するように、第２換気部材１４を棟に設置するとき、通気カバー１４ｂの下方折り曲げ片１４ｉに上端部が当接するように立て掛けて設置される。
【００２２】
棟用換気部材１０を構成する第１換気部材１３と第２換気部材１４の構造は以上の通りであって、以下に施工方法を説明する。
第２換気部材１４ａの下端面開口１４ｓを棟換気口１７に被せ、脚片１４ｈを野地１５に当接して釘で野地１５に固定する。堰板１４ｅを本体１４ａの両側に立て掛け、瓦桟１８に棟の最上段の平板瓦１９を掛止する。堰板１４ｅと平板瓦１９の尻部で区画された空間に漆喰２０を充填する。
【００２３】
支持金具１２を野地１５に固定し、支持金具１２に垂木１１を固定する。垂木１１に第１換気部材１３の連結片１３ｄを当接して釘で固定するとともに、シーラー１３ｕを平板瓦１９の尻部上面に圧接する。そして、冠瓦１６を垂木１１と左右の第１換気部材１３に被せ、垂木１１と第１換気部材１３の支持部材１３ｍに冠瓦１６を載置し、釘で垂木１１に固定する。
【００２４】
本実施例に係る棟用換気部材１０によれば、図１０に示すように、小屋裏と屋外を連通する主通気通路Ｓ１が棟換気口１７から順に第２換気部材１４の本体１４ａの下端面開口１４ｓ、本体１４ａの内部空間、第４通気口１４ｆ、第５通気口１４ｉ、第１換気部材１３の第１通気口１３ｆ、第１換気部材１３の内部空間、第２通気口１３ｇ及び第３通気口１３ｎを通る空気の流れによって形成される。
【００２５】
また、冠瓦の１６裏側に垂木１１を跨いで棟の一側から他側へ通じる第１副通気通路Ｓ２が一方の第１喚起部材１３の第３通気口１３ｎから順に第２通気口１３ｇ、一方の第１換気部材１３の内部空間、第１通気口１３ｆ、横断通気通路１１ａ、他方の第１換気部材１３の第１通気口１３ｆ、他方の第１換気口１３の内部空間、第２通気口１３ｇ及び他方の第１換気部材１３の第３通気口１３ｎを通る空気の流れによって形成される。
【００２６】
さらにまた、平板瓦１６と野地１５の間の空間と屋外を連通する第２副通気通路Ｓ３が、堰板１４ｅの第６通気口１４ｋから順に、堰板１４ｅと第２喚起部材１４の本体１４ａの側面で区画された空間、第５通気口１４ｉ、第１換気口１３ｆ、第１換気部材１３の内部空間、第２通気口１３ｇ及び第３通気口１３ｎを通る空気の流れによって形成される。
【００２７】
本実施例によれば、屋外で風が吹くと第１副通気通路Ｓ２を通って屋外の空気が棟の一側から他側へ流れるので、小屋裏の空気が第１副通気通路Ｓ２を流れる風に巻き込まれて屋外へ流出する。そのため、小屋裏を換気するに十分な空気の流量を確保できる。
【００２８】
第１換気部材１３の底面に水切り穴１３ｙを形成したので、第１換気部材１３の内部に侵入した雨水を水切り穴１３ｙから平板瓦１９の上に排出できる。また、水切り穴１３ｙの一端側端部に邪魔板１３ｚを立設したので、水切り穴１３ｙから第１換気部材１３の内部に雨水が大量に浸入するのを防止できる。
【００２９】
第２副通気通路Ｓ３によって平板瓦１９の裏側空間すなわち、野地１５の上の換気が可能となる。一方、第２副通気通路Ｓ３を通る空気の流れで野地１５を伝って雨水が第４通気口１４ｆから第２換気部材１４の本体１４ａの内部に侵入するのを第４通気口１４ｆの下端部に設けた水返し１４ｇで阻止できる。
【符号の説明】
【００３０】
１０…棟用換気部材
１１…垂木
１１ａ…横断通気通路
１２…垂木支持金具
１３…第１換気部材
１３ｄ…連結片
１３ｆ…第１通気口
１３ｇ…第２通気口
１３ｎ…第３通気口
１３ｙ…水切り穴
１３ｚ…邪魔板
１３ｗ…止水面
１４…第２換気部材
１４ａ…（第２換気部材の）本体
１４ｅ…堰板
１４ｆ…第４通気口
１４ｉ…第５通気口
１４ｋ…第６通気口
１４ｓ…（第２換気部材の本体の）下端面開口
１５…野地
１６…冠瓦
１７…棟換気口
１９…平板瓦
２０…漆喰
Ｓ１…主通気通路
Ｓ２…第１副通気通路
Ｓ３…第２副通気通路
【図１】
0006029633.tif 000002
【図２】
0006029633.tif 000003
【図３】
0006029633.tif 000004
【図４】
0006029633.tif 000005
【図５】
0006029633.tif 000006
【図６】
0006029633.tif 000007
【図７】
0006029633.tif 000008
【図８】
0006029633.tif 000009
【図９】
0006029633.tif 000010
【図１０】
0006029633.tif 000011